(57)【要約】【課題】  光学シート等のリワーク性に優れた照明装置、液晶装置、及び電子器を提供する。【解決手段】  光源と、導光板と、導光板に重ねて配置される光学シートと、これらを収容する枠体と、を有する照明装置、それを備えた液晶装置、及び電子機器であって、光学シート及び枠体は、光学シートの外縁部及び枠体の内縁部に重なる位置に配置された接着部材で固定され、枠体には、光学シート及び枠体を、部分的に非接着とする非接着領域を形成したことを特徴とする。【選択図】図１
2009064695.tif 000002
【特許請求の範囲】
【請求項１】
光源と、導光板と、前記導光板に重ねて配置される光学シートと、これらを収容する枠体と、を有する照明装置であって、
前記光学シート及び前記枠体は、前記光学シートの外縁部及び前記枠体の内縁部に重なる位置に配置された接着部材で固定され、
前記枠体には、前記光学シート及び前記枠体を、部分的に非接着とする非接着領域を形成したことを特徴とする照明装置。
【請求項２】
前記非接着領域は、前記接着部材と前記枠体との接着面から前記枠体の前記接着面に隣接する側面に連通して形成される開口部であることを特徴とする請求項１に記載の照明装置。
【請求項３】
前記非接着領域は、前記接着部材と前記枠体との接着面から前記枠体の前記接着面の裏面側に連通して形成される開口部であることを特徴とする請求項１に記載の照明装置。
【請求項４】
前記開口部の内部または周囲に、充填材料を適用することを特徴とする請求項２または３に記載の照明装置。
【請求項５】
前記非接着領域は、前記接着部材と前記枠体との接着面から前記枠体の前記接着面に隣接する側面にかけて形成される曲面部であることを特徴とする請求項１に記載の照明装置。
【請求項６】
前記枠体の外側に、外側フレームが設けてあり、当該外側フレームの一部であって、かつ、前記非接着領域に対応した箇所に、外側フレーム開口部を設けることを特徴とする請求項１〜５のいずれか一項に記載の照明装置。
【請求項７】
照明装置と、液晶パネルと、を含む液晶装置であって、
前記照明装置が、光源と、導光板と、前記導光板に重ねて配置される光学シートと、これらを収容する枠体と、を有するとともに、
前記光学シート及び前記枠体は、前記光学シートの外縁部及び前記枠体の内縁部に重なる位置に配置された接着部材で固定され、
前記枠体には、前記光学シート及び前記枠体を、部分的に非接着とする非接着領域を形成したことを特徴とする液晶装置。
【請求項８】
前記接着部材が、遮光両面テープであり、前記照明装置と、前記液晶パネルとをさらに接着し、遮光することを特徴とする請求項７に記載の液晶装置。
【請求項９】
請求項７または８に記載の液晶装置を備えることを特徴とした電子機器。
【発明の詳細な説明】
【技術分野】
【０００１】
本発明は、照明装置、液晶装置、及び電子機器に関する。特に、光学シートやフレーム等のリワーク性に優れた照明装置、液晶装置、及び電子機器に関する。
【背景技術】
【０００２】
従来、電気光学装置の一態様として、電極の対向領域から構成される画素領域を複数形成し、それぞれの画素領域に印加する電圧を選択的にオン、オフさせることによって、当該画素領域の液晶材料を通過する光を変調させ、表示領域全体として絵や文字等の像を表示させる液晶装置が多用されている。
かかる液晶装置は、通常、小型化及び軽量化を目的として、表面に導電パターンや電子部品が備えられたフレキシブル回路基板（ＦＰＣ）を、異方性導電膜（ＡＣＦ）を介して基板に圧着することにより接続して用いている。
また、液晶装置は、それぞれの画素領域に印加する電圧の駆動を制御するための半導体素子を備えており、例えば、ＣＯＧ（Chip on Glass）方式と称される、液晶パネルを構成するガラス基板上に、ＡＣＦを介して半導体素子を実装したり、上述のＦＰＣ上にＡＣＦを介して半導体素子を実装したりしている。
【０００３】
ここで、このような液晶装置において、特定の遮光両面粘着テープを用い、光源からの光漏れを防止するための遮光テープの貼り付け工程と、バックライト及び液晶パネルを接着するための両面接着テープの貼り付け工程と、を同時に行い、組立性を向上させた液晶装置の製造方法が提案されている（特許文献１参照）。
より具体的には、図１２に示すように、使用する遮光両面粘着テープ３０１は、基材としてのＰＥＴフィルム３０５と、このＰＥＴフィルム３０５の一方の面に形成された遮光層３０４と、これらＰＥＴフィルム３０５及び遮光層３０４を挟むように配置された第１の接着層３０３及び第２の接着層３０６と、から構成されている。
そして、かかる遮光両面粘着テープ３０１を挟むように、第１の離型シート３０２及び第２の離型シート３０７が配置されており、液晶装置における液晶パネルと、バックライトと、を貼り合わせる製造工程中に用いられている。
【０００４】
また、このような液晶装置において、発光輝度が均一な照明装置を備えた液晶装置が提案されている（特許文献２参照）。
より具体的には、図１３に、部分拡大図を示すように、光学シートのコーナー部に凸部４２１、４３１、４４１を設け、これらの凸部４２１、４３１、４４１に対応する筐体４０１の部位に凹部４１１を設け、これら凸部４２１、４３１、４４１と、凹部４１１とを係合させた状態で、光学シートを筐体４０１に収容してある。
そして、凸部４２１、４３１、４４１の下面は、凹部４１１に配された接着テープ４０５で筐体４０１に固定され、さらに凸部４２１、４３１、４４１の上面が、光学シートの周縁とともに被覆されるように遮光テープ４０６で、筐体４０１に接着してなる液晶装置である。
【特許文献１】特開２００２−９８９４５号  （特許請求の範囲、図１）
【特許文献２】特開２００６−５８３３３号  （特許請求の範囲、図１）
【発明の開示】
【発明が解決しようとする課題】
【０００５】
しかしながら、特許文献１や２に開示された液晶装置では、枠体に対して、遮光両面粘着テープ等の接着部材で光学シートを固定し、それらをリワークする場合に、接着部材が剥がしにくく、接着部材のみならず光学シートやフレームまでを損傷してしまうという問題が見られた。
そこで、本発明の発明者らは鋭意努力し、枠体に対して、遮光両面粘着テープ等の接着部材で光学シートを部分的に固定し、所定の非接着領域を形成することによって、それをきっかけとして、光学シートをリワークする場合に、接着部材を容易に剥がせることを見出し、本発明を完成させたものである。
すなわち、本発明は、光学シートやフレームを損傷することなく、リワークしやすい照明装置、及びそのような照明装置を備えた液晶装置や電子機器をそれぞれ提供することを目的とする。
【課題を解決するための手段】
【０００６】
本発明によれば、光源と、導光板と、導光板に重ねて配置される光学シートと、これらを収容する枠体と、を有する照明装置であって、
光学シート及び枠体は、光学シートの外縁部及び枠体の内縁部に重なる位置に配置された接着部材で固定され、枠体には、光学シート及び枠体を、部分的に非接着とする非接着領域を形成したことを特徴とする照明装置が提供され、上述した問題点を解決することができる。
すなわち、枠体に対して、遮光両面粘着テープ等の接着部材で光学シートを、部分的に固定し、所定の非接着領域を形成することにより、光学シート等をリワークする場合であっても、接着部材を容易に剥がすことができる。
したがって、光学シートやフレームを損傷することなく、リワークしやすい照明装置を提供することができる。
なお、接着部材によって、光学シートと、枠体とを部分的に接着するとして、枠体に収容された光学シートの片面側から、接着部材によって、枠体に対して部分的に押し付けられた状態で、光学シートが固定保持されていれば良い。
【０００７】
また、本発明の照明装置を構成するにあたり、非接着領域が、接着部材と枠体との接着面から枠体の接着面に隣接する側面または裏面側に連通して形成される開口部であることが好ましい。
このように構成することにより、開口部を介して、ピンセット等の治具を挿入することができ、光学シート等をリワークする場合であっても、接着部材を容易に剥がすことができる。
また、開口部の大きさを比較的小さくした場合であっても、ピンセット等の治具を挿入できることから、外部への光漏れ等が少ない照明装置を提供することができる。
【０００８】
また、本発明の照明装置を構成するにあたり、開口部の内部または周囲に、充填材料を適用することが好ましい。
このように構成することにより、機械的強度に優れ、かつ、開口部から外部へ光漏れすることが少ない照明装置を提供することができる。
また、開口部の内部に充填物が挿入してあったり、その周囲に充填材料が被覆されたりしていることから、外部から枠体内部への異物や水分等の侵入についても、有効に防止することができる。
【０００９】
また、本発明の照明装置を構成するにあたり、非接着領域が、接着部材と枠体との接着面から枠体の接着面に隣接する側面にかけて形成される曲面部であることが好ましい。
このように構成することにより、光学シート等のリワークが不要な場合や、光学シート等のリワークが終了した場合には、接着部材によって、開口部を塞ぐことができる。したがって、開口部と、接着部材との間の密着性の低下や、開口部からの光漏れ等を有効に防止することができる。
【００１０】
また、本発明の照明装置を構成するにあたり、枠体の外側に、外側フレームが設けてあり、当該外側フレームの一部であって、かつ、非接着領域に対応した箇所に、外側フレーム開口部を設けることが好ましい。
このように構成することにより、外側フレームが設けてある場合であっても、光学シート等を一旦、フレームの外部に取り出すことができ、優れたリワーク性を得ることができる。
【００１１】
また、本発明の別の態様は、照明装置と、液晶パネルと、を含む液晶装置であって、
照明装置が、光源と、導光板と、導光板に重ねて配置される光学シートと、これらを収容する枠体と、を有するとともに、光学シート及び枠体は、光学シートの外縁部及び枠体の内縁部に重なる位置に配置された接着部材で固定され、枠体には、光学シート及び枠体を、部分的に非接着とする非接着領域を形成したことを特徴とする。
すなわち、照明装置を含む液晶装置において、枠体に対して、接着部材で光学シートを部分的に固定し、所定の非接着領域を形成することにより、リワークする場合であっても、接着部材を容易に剥がすことができる。
したがって、光学シートやフレームを損傷することなく、リワークしやすい照明装置を含む液晶装置を提供することができる。
【００１２】
また、本発明の液晶装置を構成するにあたり、接着部材が、遮光両面テープであり、照明装置と、液晶パネルとをさらに接着し、遮光することが好ましい。
すなわち、照明装置を含む液晶装置において、枠体に対して、接着部材としての遮光両面テープで光学シートを固定し、所定の非接着領域を形成することにより、所定の遮光性が得られるばかりか、リワークする場合であっても、遮光両面テープのみを容易に剥がすことができる。
したがって、光源から外部に漏れる光が少ないとともに、光学シートやフレームを損傷することなく、リワークしやすい照明装置を含む液晶装置を提供することができる。
【００１３】
また、本発明のさらに別の態様は、上述した液晶装置を備えることを特徴とした電子機器である。
すなわち、照明装置を含む液晶装置を備えた電子機器において、枠体に対して、接着部材で光学シートを固定し、照明装置に所定の非接着領域を形成することにより、リワークする場合であっても、接着部材を容易に剥がすことができる。
したがって、光学シートやフレームを損傷することなく、リワークしやすい照明装置を含む液晶装置を備えた電子機器を提供することができる。
【発明を実施するための最良の形態】
【００１４】
以下、適宜図面を参照して、本発明の照明装置、液晶装置、及び電子機器に関する実施形態について、それぞれ具体的に説明する。
但し、かかる実施形態は、本発明の一態様を示すものであり、この発明を限定するものではなく、本発明の範囲内で任意に変更することが可能である。
【００１５】
［第１実施形態］
第１実施形態は、図１に例示するように、光源１０１と、導光板１０４と、導光板１０４に重ねて配置される光学シート１０２、１０３と、これらを収容する枠体１４と、を有する照明装置１２０であって、光学シート１０２及び枠体１４は、光学シート１０２の外縁部及び枠体１４の内縁部１４ａに重なるように配置された接着部材１００で固定され、枠体１４には、光学シート１０２及び枠体１４を、部分的に非接着とする非接着領域１０６´を形成したことを特徴とする照明装置１２０である。
すなわち、このように照明装置１２０を構成することにより、枠体１４に対して、接着部材１００で光学シート１０２を固定し、それによって、光学シート１０３も保持される。それらをリワークする場合であっても、非接着領域１０６´（開口部１０６）を利用して、光学シート１０２、１０３やフレーム１４を損傷することなく、接着部材１００のみを容易に剥がすことができる。
【００１６】
１．光源
照明装置１２０に使用される光源１０１としては、発光ダイオード（ＬＥＤ）が一般的であるが、それ以外にも蛍光管や白熱電球等を用いることもできる。
また、照明装置に搭載する光源は、図１に示すように、光源回路基板１７ａに実装されていることが好ましい。
かかる光源回路基板は、ポリイミド樹脂等の可撓性のフレキシブル基板を基体とした回路基板であって、一方側の端部付近に光源１０１が実装され、他方側の端部にパネル接続用端子（図示せず）を備え、これらの光源１０１及び接続用端子は電気配線を介して電気的に接続されている。
なお、図示しないものの、フレキシブル回路基板の表面は、光源１０１の実装領域やパネル接続用端子部分、検査用端子部分等を除いて、絶縁膜により被覆されている。
【００１７】
２．導光板
図１に示す導光板１０４は、液晶パネルの背面側に位置し、光源１０１から出射された光を、液晶パネルに対して、均一に導くための部材である。
したがって、導光板１０４は、透光性のアクリル樹脂やポリカーボネート樹脂等からなる平板状の部材であって、液晶パネル（図示せず）と対向する面の背面側には、光反射シート１０５を備えている。
【００１８】
３．光学シート
（１）プリズムシート
プリズムシートは、導光板から出光する光に対して指向性を付与し、液晶パネルの所定場所に光を導入するための光学シートであって、アクリル樹脂やポリカーボネート樹脂等からなる三角形状の凹凸が表面に設けてあるシート状物である。
通常、かかるプリズムシートは、三角形状の凹凸の程度や密度等が異なる二枚のプリズムシートを組み合わせて使用される。
したがって、図１に示すように、拡散シート１０３を介して、導光板１０４の上方に二枚のプリズムシート１０２ａ，１０２ｂが配置されている。
【００１９】
（２）拡散シート
また、拡散シートは、導光板から出光する光を散乱させることにより、均一化させて、液晶パネルの所定場所に光を導入するための光学シートであって、光散乱機能を有する所定の凹凸が表面に設けてあるアクリル樹脂やポリカーボネート樹脂等からなるシート状物である。
また、かかる拡散シートによれば、導光板のパターンを見えにくくするという機能も有している。
したがって一般的には、図１に示すように、拡散シート１０３は、導光板１０４の上方であって、かかる導光板１０４と、プリズムシート１０２との間に、配置されている。
【００２０】
（４）枠体
図１に示す照明装置１２０の枠体１４としては、光源を実装した所定の回路基板である光源回路基板１７ａや、導光板１０４、あるいは光学シート１０２、１０３等を収容して、これらを保持できる構成であれば特に制限されるものではないが、例えば、図１に示すように、外枠を有する矩形状の構造体であることが好ましい。
また、枠体１４は、光源回路基板１７ａや、導光板１０４、あるいは光学シート１０２、１０３等を落下させずに、そのまま保持するために、外枠１４の内壁に沿って内縁部１４ａを備えている。
【００２１】
４．接着部材
接着部材の典型は、遮光両面テープであることから、このような遮光両面テープを例にとって、接着部材を説明する。
また、一部上述したように、接着部材は、光学シートと、枠体とを部分的に接着する部材であるが、枠体に収容された光学シートの片面側から、枠体に対して部分的に押し付けた場合に、光学シートを固定保持可能な程度の接着性を有する部材であれば良い。
【００２２】
（１）貼付け位置
また、接着部材１００としての遮光両面テープの貼付け位置については、例えば、図１に示すような平面位置であることが好ましい。
すなわち、接着部材１００としての遮光両面テープの貼付け位置としては、基本的に、光学シート１０２の外縁の上側であって、かつ、照明装置１２０の外枠１４の内縁部１４ａに沿った位置である。
【００２３】
（２）形態
また、図１に示す接着部材１００としての遮光両面テープは、ポリエチレンテレフタレートやポリプロピレン等を主成分とした樹脂製シートを含むことが好ましい。
この理由は、このような樹脂製シートを含むことにより、厚さが比較的薄い場合であっても、所定の機械的強度を確保することができ、フレキシブル回路基板と、素子基板とを一体的に保持しやすくできるためである。
具体的には、遮光両面テープの弾性強度が、フレキシブル回路基板の基体である可撓性基板と同等以上の弾性強度を有していることが好ましい。
そして、所定の遮光性を得るために、樹脂製シートの内部あるいは表面に、カーボンブラック、酸化チタン、その他、着色剤や隠蔽剤が積層してあったり、練りこんであったりすることが好ましい。
【００２４】
（３）電気絶縁性
また、図１に示す接着部材１００としての遮光両面テープは、電気絶縁性を有していることが好ましく、それにより、フレキシブル回路基板あるいは素子基板上の電気配線や電子部品等におけるショート発生を防止できることが好ましい。
そのため、通常、遮光両面テープの体積抵抗を１×１０6〜１×１０15Ω・ｃｍの範囲内の値とすることが好ましく、１×１０7〜１×１０13Ω・ｃｍの範囲内の値とすることがより好ましく、１×１０8〜１×１０11Ω・ｃｍの範囲内の値とすることがさらに好ましい。
【００２５】
（４）厚さ
また、図１に示す接着部材１００としての遮光両面テープにおいて、通常、その厚さを１０〜３００μｍの範囲内の値とすることが好ましい。
この理由は、このような厚さの遮光両面テープであれば、機械的強度と、遮光性との間のバランスを良好なものとすることができるためである。
すなわち、遮光両面テープの厚さが１０μｍ未満の値になると、遮光性が低下したり、機械的強度が低下したりしやすくなる場合があるためである。一方、遮光両面テープの厚さが３００μｍを超えると、貼付面の凹凸に対する追従性が低下したり、薄型化が困難になったりする場合があるためである。
したがって、このような特性のバランスがさらに良好になることから、遮光両面テープの厚さを３０〜１００μｍの範囲内の値とすることが好ましい。
【００２６】
（５）遮光率
また、図１に示す接着部材１００としての遮光両面テープにおいて、可視光域、例えば、波長５５０ｎｍにおける遮光率（厚さを１００μｍと規定）を９０％以上の値とすることが好ましい。
すなわち、波長５５０ｎｍの入射光の光量を１００％としたときに、９０％以上の光を遮断し、透過できる光量を１０％以下の値とすることが好ましい。
この理由は、このように構成することにより、ドライバーＩＣのような半導体素子の能動面に至る光量を定量的に防止することができるとともに、光起電力による誤動作を有効に防止することができるためである。
逆に言えば、遮光両面テープの可視光域、例えば、波長５５０ｎｍにおける遮光率が９０％未満の値となると、半導体素子の能動面に至って誤動作を生じさせ、良好な画像表示が得られない場合があるためである。
したがって、半導体素子の誤動作がさらに少なくなることから、波長５５０ｎｍにおける遮光両面テープの遮光率を９５％以上の値とすることがより好ましい。
なお、かかる遮光両面テープの遮光率は、光透過率計や色差計を用いて測定することができる。
【００２７】
（６）接着力
また、図１に示す接着部材１００としての遮光両面テープにおいて、接着力としては、例えば、ＪＩＳ  Ｚ０２３７に準拠したテープ状態で測定される剥離接着力（モード：１８０°剥離、被着体：フェノール樹脂板、剥離速度：３００ｍｍ／ｍｉｎ）を３００〜２０００ｃＮ／１２ｍｍの範囲内の値とすることが好ましい。
この理由は、かかる剥離接着力が３００ｃＮ／１２ｍｍ未満の値になると、照明装置の枠体から容易に剥離する場合があるためである。
一方、かかる剥離接着力が２０００ｃＮ／１２ｍｍを超えると、使用可能な粘着剤組成が過度に制限されたり、誤って貼った際に、除去したりすることが困難となる場合があるためである。
したがって、かかる剥離接着力を４００〜１５００ｃＮ／１２ｍｍの範囲内の値とすることがより好ましく、５００〜１２００ｃＮ／１２ｍｍの範囲内の値とすることがさらに好ましい。
【００２８】
５．非接着領域
図１に示すように、非接着領域１０６´は、接着部材１００によって、光学シート１０２を、枠体１４に対して接着した場合に、少なくとも接着部材１００と、枠体１４との間に形成される間隙である。
後述するように、所定の開口部１０６を枠体１４に設けて、接着部材１００と、枠体１４との間に、例えば、ピンセット１０８を挿入して、操作可能能な間隙として、形成することが好ましい。
すなわち、図２（ａ）に示すように、所定の開口部１０６により、部分的に非接着領域１０６´を形成した状態で、接着する接着部材１００を備えることにより、光学シート１０２、１０３を一旦固定した後にリワークする場合であっても、図２（ｂ）に示すように、例えば、ピンセット１０８を用いて、接着部材１００を容易に剥がすことができる。
よって、このような開口部を設けることにより、光学シートやフレームを損傷することなく、リワークしやすい照明装置とすることができる。
【００２９】
また、図３（ａ）〜（ｂ）に示すように、非接着領域１０６´が、所定の開口部１０６であって、当該開口部１０６を、枠体１４の側面または裏面に、少なくとも一つ以上設けることが好ましい。
この理由は、このように開口部を構成することにより、側面または裏面に設けた開口部を介して、ピンセット等の治具を挿入することができ、光学シート等をリワークする場合であっても、接着部材を容易に剥がすことができるためである。
また、一つ以上の開口部を設けてあることから、照明装置の用途等にもよるが、任意位置において、光学シート等をリワークすることができる。
また、開口部であれば、当該開口部の大きさを比較的小さくしたような場合、例えば、開口部の最大径（あるいは円相当径）を０．５〜５ｍｍとした場合であっても、ピンセット等の小さな治具を挿入できることから、外部への光漏れ等が少ない照明装置を提供することができる。
【００３０】
ここで、図３（ａ）に示すように、開口部１０６を、枠体の側面に設けた場合には、ピンセット等の治具１０８を水平方向から挿入し、接着部材１００のみを上下方向につまんで、容易に剥がすことができる。
一方、図３（ｂ）に示すように、開口部１０６を、枠体の裏面に設けた場合には、ピン等の治具１０８´を鉛直方向から挿入し、接着部材１００を持ち上げることができる。
なお、接着部材１００を下方から持ち上げた際に接着部材１００が損傷して接着部材１００が剥離できなくならないように、治具としてのピンの先端部に平坦部または丸み（球状物）を設けておくことが好ましい。
さらには、ピン等の治具を下方から持ち上げた際に、接着部材１００のみを下方から押し上げられるように、接着部材１００と重なる領域かつ反射シート１０５、光学シート１０２、１０３とは重ならない領域に開口部１０６を形成しておくことも好ましい。
【００３１】
また、開口部の形状を、図３（ａ）に示すようにＶ字状、図４（ａ）に示すように四角状、図３（ｂ）に示すように円形状、図４（ｂ）に示すように半円形状、及び図４（ｃ）に示すように楕円状からなる群から選択される少なくとも一つとすることが好ましい。
この理由は、このような形状に構成することにより、開口部の形成が容易になるばかりか、これらの開口部を利用したリワークをさらに容易なものとすることができるためである。
【００３２】
例えば、図３（ａ）に示すようにＶ字状の開口部１０６にした場合、例えば、切削装置等を用いて容易に形成できるばかりか、Ｖ字状の開口部のエッジを利用して、ピンセット等の治具の挿入や移動を容易に行うことができる。
また、図３（ｂ）に示すように円形状の開口部１０６にした場合、例えばドリル等を用いて容易に形成できるばかりか、円形状の開口部を利用して、ピン等の治具の挿入や移動を容易に行うことができる。また、このような開口部であれば、外部への光漏れや、外部からの光や異物の侵入を効果的に防止することができる。
【００３３】
また、図４（ａ）に示すように四角状（溝状）の開口部１０６にした場合、例えば、射出成型機等を用いて、枠体１４と一体的に形成できるばかりか、四角状の開口部を利用して、ピンセット等の治具の挿入や移動を容易に行うことができる。
また、図４（ｂ）や図４（ｃ）に示すように半円形状や半楕円状の開口部１０６にした場合、例えば、射出成型機あるいは切削装置等を用いて容易に形成できるばかりか、これらの滑らかな側面を利用して、ピン等の治具の挿入や移動を容易に行うことができる。
【００３４】
また、図５（ａ）〜（ｂ）に示すように、開口部１０６の内部または周囲に、充填材料１０６ａ、１０６ｂを適用することが好ましい。
この理由は、このように充填材料１０６ａ、１０６ｂを適用することにより、機械的強度を保持したり、開口部から外部への光漏れを有効に防止したりすることができるためである。この充填材料１０６ａ、１０６ｂは、点灯試験等の検査において、良品と判定された場合のみに充填する。つまり、リワークの必要がない良品にのみ充填材料１０６ａ、１０６ｂを充填することによって、充填材料１０６ａ、１０６ｂを良品であることを識別するマークとしても機能させることができる。
また、図５（ａ）に示すように、開口部１０６の内部に充填材料１０６ａが挿入してあったり、図５（ｂ）に示すように、開口部１０６の周囲に、充填材料１０６ｂが被覆されたりしていることから、外部から枠体内部への異物や水分等の侵入についても、有効に防止することができる。
なお、図５（ａ）に示すように、開口部１０６の内部に充填する充填材料１０６ａとしては、所定量の遮蔽材料を含むエポキシ樹脂、アクリル樹脂、ポリエステル樹脂、ウレタン樹脂等の熱可塑性樹脂または熱硬化性樹脂（光硬化性樹脂等を含む）等である。
また、図５（ｂ）に示すように、開口部１０６の周囲に被覆する充填材料１０６ｂとしては、遮蔽用テープ等の粘着部材であることが好ましい。
【００３５】
また、図６（ａ）〜（ｃ）に示すように、枠体１４の端部に曲面部１４ｂが設けてあり、当該曲面部１４ｂを、非接着領域１０６´として、これに沿って、接着部材１００の端部を貼付してあることが好ましい。
この理由は、このように構成することにより、点灯試験等の検査前の段階では、曲面部１４ｂにおいて、接着部材１００をの端部を図６（ａ）のように離間させて非接着状態としておき、検査の結果、良品と判定され、光学シート等のリワークが不要な場合や、光学シート等のリワークが終了した場合には、接着部材１００によって、そのまま曲面部に沿って接着することができるためである。
したがって、非接着領域と、接着部材との間の密着性の低下や、曲面部からの光漏れ等を有効に防止することができる。
なお、図示しないものの、枠体端部の曲面部において、その側面または裏面に、少なくとも一つ以上のＶ字状や円形状等の開口部をさらに設けることも好ましい。
【００３６】
また、図７に示すように、枠体１４の外側に、外側フレーム１５が設けてある場合には、当該外側フレーム１５の一部であって、かつ、非接着領域に対応した箇所に、外側フレーム開口部１５´を設けることが好ましい。
この理由は、このように構成することにより、外側フレームが設けてある場合であっても、光学シート等を一旦、フレームの外部に取り出すことができ、優れたリワーク性を得ることができるためである。
なお、フレーム用開口部の形状は、枠体における開口部の形状と異なっていても良いが、ピンセット等の治具の挿入や移動が容易になるように、枠体における開口部の形状と同一または相似形であることが好ましい。
外側フレーム１５が設けてある場合には、先に述べた充填材料１０６ａ、１０６ｂの充填および接着部材１００の曲面部１４ｂへの貼り付けは、外側フレーム１５を装着した後に行うことが好ましい。
【００３７】
［第２実施形態］
第２実施形態は、図８に例示するように、照明装置１２０と、液晶パネル２０と、を含む液晶装置１０であって、照明装置１２０が、光源１０１と、導光板１０４と、導光板に重ねて配置される光学シート（図示せず）及びこれらを収容する枠体１４を有するとともに、光学シート及び枠体１４は、光学シートの外縁部及び枠体１４の内縁部１４ａに重なるように配置された接着部材で固定され、枠体１４には、光学シート及び枠体１４を、部分的に非接着とする非接着領域を形成した状態で、接着する接着部材（図示せず）を備えることを特徴とする液晶装置１０である。
以下、第２実施形態の液晶装置を、第１実施形態の照明装置と異なる点を中心に説明する。
なお、以下の説明中、液晶パネルとは、シール材で貼り合わせられた一対の基板の間に液晶材料が注入された状態の電気部材を意味し、液晶装置とは、液晶パネルに、フレキシブル回路基板や電子部品、光源等が取り付けられた状態の電気部材を意味するものとする。
【００３８】
１．基本構成
（１）液晶パネル
まず、図９（ａ）〜（ｂ）及び図９を参照しながら、液晶パネル２０の構成について、具体的に説明する。
ここで、図９（ａ）は、液晶パネル２０の断面図を示し、図９（ｂ）は、図９（ａ）の液晶パネル２０における素子基板６０の平面図を示しており、図１０は、液晶パネル２０の外観に対応した斜視図を示している。
そして、液晶パネル２０は、対向基板３０と、素子基板６０とが、それらの周辺部においてシール材（図示せず）によって貼り合せられ、さらに、対向基板３０、素子基板６０及びシール材によって囲まれる間隙内に液晶材料２１を封入して、基本的に構成されている。
【００３９】
また、対向基板３０の基材３１は、ガラス、プラスチック等によって構成され、基材３１上には、カラーフィルタすなわち着色層３７ｒ、３７ｇ、３７ｂと、その着色層３７ｒ、３７ｇ、３７ｂの上に形成された対向電極３３と、その対向電極３３の上に形成された配向膜４５とを備えている。また、反射領域Ｒにおける、着色層３７ｒ、３７ｇ、３７ｂと対向電極３３との間には、リタデーションを最適化するための絶縁層４１を備えている。
【００４０】
また、対向電極３３は、ＩＴＯ（インジウムスズ酸化物）等によって対向基板３０の表面全域に形成された面状電極である。また、着色層３７ｒ、３７ｇ、３７ｂは、素子基板６０側の画素電極６３に対向する位置にＲ（赤）、Ｇ（緑）、Ｂ（青）又はＣ（シアン）、Ｍ（マゼンタ）、Ｙ（イエロー）等といった各色のいずれかの色フィルタエレメントを備えている。そして、着色層３７ｒ、３７ｇ、３７ｂの隣であって、画素電極６３に対向しない位置にブラックマスク又はブラックマトリクスすなわち遮光膜３９が設けられている。
【００４１】
また、対向基板３０に対向する素子基板６０の基材６１もまた、ガラス、プラスチック等によって構成され、当該素子基板６０の基材６１上には、スイッチング素子として機能するアクティブ素子としてのＴＦＴ素子６９と、透明な絶縁膜８１を挟んでＴＦＴ素子６９の上層に形成された画素電極６３と、を備えている。
そして、ＴＦＴ素子６９は、素子基板６０上に形成されたゲート電極７１と、このゲート電極７１の上で素子基板６０の全域に形成されたゲート絶縁膜７２と、このゲート絶縁膜７２を挟んでゲート電極７１の上方位置に形成された半導体層７０と、その半導体層７０の一方の側にコンタクト電極７７を介して形成されたソース電極７３と、さらに半導体層７０の他方の側にコンタクト電極７７を介して形成されたドレイン電極６６とを備えている。
【００４２】
また、画素電極６３は、反射領域Ｒにおいては反射表示を行うための光反射膜７９（６３ａ）を兼ねて形成されるとともに、透過領域Ｔにおいては、ＩＴＯなどにより透明電極６３ｂとして形成される。
また、画素電極６３ａとしての光反射膜７９は、例えばＡｌ（アルミニウム）、Ａｇ（銀）等といった光反射性材料によって形成される。そして、画素電極６３の上には、ポリイミド系の高分子樹脂からなる配向膜８５が形成されるとともに、この配向膜８５に対して、配向処理としてのラビング処理が施されている。
【００４３】
また、対向基板３０の外側、すなわち、図９（ａ）の上側表面には、位相差板４７が形成され、さらにその上に偏光板４９が形成されている。同様に、素子基板６０の外側、すなわち、図９（ａ）の下側表面には、位相差板８７が形成され、さらにその下に偏光板８９が形成されている。
すなわち、電気光学パネルとしての液晶装置１０は、このように反射半透過方式のアクティブマトリクス型構造であるＴＦＴ（Thin Film Transistor）素子を用いた液晶パネルであっても良く、あるいは、用途等に応じて、ＴＦＤ（Thin Film Diode）素子を用いた液晶パネルであっても良く、さらには、パッシブマトリクス型構造であっても良い。
【００４４】
（２）照明装置
図示しないものの、素子基板６０の下方には、第１実施形態において説明した照明装置が配置される。
すなわち、図１に例示するように、光源１０１と、導光板１０４と、導光板１０４に重ねて配置される光学シート１０２、１０３と、これらを収容する枠体１４と、を有する照明装置１２０であって、光学シート１０２及び枠体１４は、光学シート１０２の外縁部及び枠体１４の内縁部１４ａに重なるように配置された接着部材１００で固定され、枠体１４は、光学シート１０２及び枠体１４を、部分的に非接着とする非接着領域１０６´を形成した照明装置１２０が配置される。
【００４５】
２．動作
以上のような液晶パネル２０を含む液晶装置において、反射表示の際には、太陽光や室内照明光などの外光が、対向基板３０側から液晶装置１０の反射領域（Ｒ）に入射するとともに、着色層３７（３７ｒ、３７ｇ、３７ｂ）や液晶材料２１などを通過して光反射膜７９に至る。そこで、光反射されて、再度液晶材料２１や着色層３７（３７ｒ、３７ｇ、３７ｂ）などを通過して、液晶装置１０の外部で認識されることにより、反射表示が行われる。
一方、透過表示の際にはバックライトユニット（図示せず）が点灯されるとともに、バックライトユニットから出射された光が、透過領域（Ｔ）としての透光性の透明電極６３ｂ部分を通過し、着色層３７（３７ｒ、３７ｇ、３７ｂ）、液晶材料２１などを通過して、液晶装置１０の外部で認識されることにより、透過表示が行われる。
【００４６】
そして、このような照明装置１２０を備えた液晶装置１０においても、枠体１４に対して、接着部材１００で光学シート１０２を一旦固定した後、それらをリワークする場合であっても、非接着領域１０６´（開口部１０６）を利用して、光学シート１０２、１０３やフレーム１４を損傷することなく、接着部材１００のみを容易に剥がすことができる。
【００４７】
［第３実施形態］
本発明に係る第３実施形態として、所定の液晶装置を備えた電子機器を、具体的に説明する。
【００４８】
（１）電子機器の概要
図１１は、本実施形態の電子機器の全体構成を示す概略構成図である。この電子機器は、液晶パネル２０と、これを制御するための制御手段２００とを有している。また、図１１中では、液晶パネル２０を、パネル構造体２０Ａと、半導体素子（ＩＣ）等で構成される駆動回路２０Ｂと、に概念的に分けて描いてある。また、制御手段２００は、表示情報出力源２０１と、表示処理回路２０２と、電源回路２０３と、タイミングジェネレータ２０４とを有することが好ましい。
また、表示情報出力源２０１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ２４０によって生成された各種のクロック信号に基づいて、所定フォーマットの画像信号等の形で表示情報を表示処理回路２０２に供給するように構成されていることが好ましい。
【００４９】
また、表示処理回路２０２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路２０Ｂへ供給することが好ましい。また、駆動回路２０Ｂは、第１の配線パターン駆動回路、第２の配線パターン駆動回路及び検査回路を含むことが好ましい。さらに、電源回路２０３は、上述の各構成要素にそれぞれ所定の電圧を供給する機能を有している。
【００５０】
（２）具体例
所定の電気光学装置としての液晶装置、有機エレクトロルミネッセンス装置、無機エレクトロルミネッセンス装置等や、プラズマディスプレイ装置、ＦＥＤ(フィールドエミッションディスプレイ)装置、ＬＥＤ（発光ダイオード）表示装置、電気泳動表示装置、薄型のブラウン管、液晶シャッター、デジタルマイクロミラーデバイス(ＤＭＤ)を用いた装置等を適用することが可能な電子機器としては、パーソナルコンピュータや、携帯電話機のほかにも、液晶テレビや、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた電子機器などが挙げられる。
【００５１】
さらに、本発明の電気光学装置及び電子機器は、上述の図示例にのみ限定されるものではなく、本発明の要旨を逸脱しない範囲内において種々変更を加え得ることは勿論である。
例えば、単純マトリクス型構造のアクティブマトリクス方式の電気光学装置であっても良く、あるいは、ＴＦＤ（薄膜ダイオード）等のアクティブ素子（能動素子）を用いたアクティブマトリクス方式の電気光学装置にも適用することができる。
【産業上の利用可能性】
【００５２】
本発明によれば、光学シート等を損傷することなく接着部材を剥離することができ、光学シート等のリワーク性に優れた照明装置、そのような照明装置を用いた液晶装置及び電子機器が提供できるようになった。
したがって、本発明の照明装置等は、ＴＦＴ素子やＴＦＤ素子等のスイッチング素子を備えた液晶装置やそれを用いた電子機器、例えば、携帯電話機やパーソナルコンピュータ等をはじめとして、液晶テレビ、ビューファインダ型・モニタ直視型のビデオテープレコーダ、カーナビゲーション装置、ページャ、電気泳動装置、電子手帳、電卓、ワードプロセッサ、ワークステーション、テレビ電話、ＰＯＳ端末、タッチパネルを備えた電子機器、電子放出素子を備えた装置（ＦＥＤ:Field Emission DisplayやＳＣＥＥＤ：Surface-Conduction Electron-Emitter Display）などに幅広く適用することができる。
【図面の簡単な説明】
【００５３】
【図１】第１実施形態における照明装置を説明するために供する図である。
【図２】（ａ）〜（ｂ）は、第１実施形態の照明装置における非接着領域（開口部）及びそれを利用したリワーク性を説明するために供する図である。
【図３】（ａ）〜（ｂ）は、第１実施形態の照明装置における開口部の個数及び位置を説明するために供する図である。
【図４】（ａ）〜（ｃ）は、第１実施形態の照明装置における開口部の各種形状を説明するために供する図である。
【図５】（ａ）〜（ｂ）は、第１実施形態の照明装置における開口部に充填材料を適用した状態を説明するために供する図である。
【図６】（ａ）〜（ｃ）は、第１実施形態の照明装置における非接着領域の別の態様を説明するために供する図である。
【図７】第１実施形態の外側フレームが設けてある照明装置の態様を説明するために供する図である。
【図８】（ａ）〜（ｂ）は、第２実施形態における液晶装置の斜視図及び断面図である。
【図９】（ａ）〜（ｂ）は、第２実施形態における液晶装置に含まれる液晶パネルの部分的断面図及び平面図である。
【図１０】第２実施形態における液晶装置に含まれる液晶パネルの斜視図である。
【図１１】第３実施形態における電子機器を説明するために供する図である。
【図１２】従来の液晶装置の製造方法に用いられる両面遮光テープを説明するための分解斜視図である。
【図１３】従来の照明装置を備えた液晶装置を説明するために供する部分拡大図である。
【符号の説明】
【００５４】
１０：液晶装置、１１：外部端子、１４：枠体、１４ａ：内縁部、１５：外側フレーム、１５´：外側フレーム開口部、２０：液晶パネル、２３：シール材、２３ａ：注入孔、２５：封止剤、３０：対向基板、３７（３７ｒ、３７ｇ、３７ｂ）：カラーフィルタ、６０：素子基板、６０Ｔ：基板張り出し部、６３：画素電極、６５：：電気配線、６９：非線形素子（ＴＦＴ素子）、７５：電気配線、７９：光反射膜、８５：配向膜、９１：半導体素子、１００：接着部材（遮光両面テープ）、１０１：光源、１０２（１０２ａ、１０２ｂ）：光学シート（プリズムシート）、１０３：光学シート（拡散シート）、１０４：導光板、１０５：反射シート、１０６：開口部、１０６´：非接着領域、１０８：ピンセット、１２０：照明装置
【図１】
2009064695.tif 000003
【図２】
2009064695.tif 000004
【図３】
2009064695.tif 000005
【図４】
2009064695.tif 000006
【図５】
2009064695.tif 000007
【図６】
2009064695.tif 000008
【図７】
2009064695.tif 000009
【図８】
2009064695.tif 000010
【図９】
2009064695.tif 000011
【図１０】
2009064695.tif 000012
【図１１】
2009064695.tif 000013
【図１２】
2009064695.tif 000014
【図１３】
2009064695.tif 000015